(57)【要約】      （修正有）【課題】インタラクティブコンテンツに対するコメント方法及びコメントシナリオ再演方法を提供する。【解決手段】コンテンツ再生装置が、インタラクティブコンテンツに対するコメントの入力のためにタッチ入力される段階と、コンテンツ再生装置が、インタラクティブコンテンツのトリガーのうち、タッチ入力がなされた時点の直前に発生したコメント対象トリガーにコメントをマッチングさせる段階と、コンテンツ再生装置が、コメント対象トリガーに対する情報、トリガーログ及びコメントのコンテンツデータを送信する段階とを含む。トリガーログは、インタラクティブコンテンツの再生が開始された時からコメント対象トリガーが発生するまでインタラクティブコンテンツに対して発生したトリガーの集合である。【選択図】図７
2018109941.tif 000002
【特許請求の範囲】
【請求項１】
コンテンツ再生装置が、インタラクティブコンテンツに対するコメントの入力のためにタッチ入力される段階と、
前記コンテンツ再生装置が、前記インタラクティブコンテンツのトリガーのうち、タッチ入力がなされた時点の直前に発生したコメント対象トリガーに前記コメントをマッチングさせる段階と、
前記コンテンツ再生装置が、前記コメント対象トリガーに対する情報、トリガーログ及び前記コメントのコンテンツデータを送信する段階とを含み、
前記トリガーログは、前記インタラクティブコンテンツの再生が開始された時から前記コメント対象トリガーが発生するまで前記インタラクティブコンテンツに対して発生した前記トリガーの集合である、インタラクティブコンテンツに対するコメント方法。
【請求項２】
前記インタラクティブコンテンツは、
前記トリガー、前記トリガーに対するレスポンス及び、前記レスポンスの対象である客体で構成されるインタラクションに対する情報を含み、少なくとも一部の状況で複数の前記トリガーが発生可能になるように定義された分岐型シナリオタイプの前記インタラクティブコンテンツであることを特徴とする、請求項１に記載のインタラクティブコンテンツに対するコメント方法。
【請求項３】
前記インタラクティブコンテンツは、
ＧＵＩ基盤のソフトウェアに対するインタラクションプロトタイプであることを特徴とする、請求項２に記載のインタラクティブコンテンツに対するコメント方法。
【請求項４】
前記送信する段階は、
前記コメント対象トリガーに対する情報、前記トリガーログ及び前記コメントのコンテンツデータ及び前記コメントのタッチポイントに対する情報を、連動サーバーに送信する段階を含み、
前記連動サーバーは、
前記インタラクティブコンテンツを生成した著作ツールが設置されたコンテンツ著作装置と前記コンテンツ再生装置と連結され、前記コンテンツ著作装置から前記インタラクティブコンテンツに対するエクスポート要請に応答して前記インタラクティブコンテンツを前記コンテンツ再生装置に送信するサーバーであることを特徴とする、請求項１に記載のインタラクティブコンテンツに対するコメント方法。
【請求項５】
前記連動サーバーは、
前記トリガーログに含まれた前記トリガーそれぞれのレスポンスをトリガー発生順序によって連結することでコメントシナリオを生成し、前記コメントシナリオには前記コメント対象トリガーのレスポンスの再生区間に前記コメントのコンテンツデータが表示されるようにするデータが含まれることを特徴とする、請求項４に記載のインタラクティブコンテンツに対するコメント方法。
【請求項６】
前記送信する段階は、
前記コメント対象トリガーに対する情報、前記トリガーログ及び前記コメントのコンテンツデータ及び前記コメントのタッチポイントに対する情報を、前記インタラクティブコンテンツを生成した著作ツールが設置されたコンテンツ著作装置に送信する段階を含み、
前記コンテンツ著作装置は、
前記インタラクティブコンテンツを前記コンテンツ再生装置にエクスポートしたものであることを特徴とする、請求項１に記載のインタラクティブコンテンツに対するコメント方法。
【請求項７】
前記コンテンツ著作装置は、
前記トリガーログに含まれた前記トリガーそれぞれのレスポンスをトリガー発生順序によって連結することでコメントシナリオを生成し、前記コメントシナリオを再演するためのＵＩを含み、前記コメントシナリオの再演によって前記コメント対象トリガーのレスポンスの再生区間に前記コメントのコンテンツデータを表示する端末であることを特徴とする、請求項６に記載のインタラクティブコンテンツに対するコメント方法。
【請求項８】
連動サーバーに送信する段階は、
前記コメントのタッチポイントを用いてコメント対象客体を決定する段階と、
前記コメント対象客体に対する情報を前記連動サーバーに送信する段階とを含むことを特徴とする、請求項１に記載のインタラクティブコンテンツに対するコメント方法。
【請求項９】
前記コメント対象客体を決定する段階は、
前記コメント対象トリガーと関連した候補客体のうち、前記タッチ入力がなされた時点で前記タッチポイントと最も近接して位置する客体を前記コメント対象客体に決定する段階を含み、
前記候補客体は前記コメント対象トリガーのレスポンスの客体を含むものであることを特徴とする、請求項８に記載のインタラクティブコンテンツに対するコメント方法。
【請求項１０】
前記候補客体は、前記コメント対象トリガーのレスポンスの客体のうち、前記タッチ入力がなされた時点の透明度を基準に選定された客体を含むものであることを特徴とする、請求項９に記載のインタラクティブコンテンツに対するコメント方法。
【請求項１１】
前記候補客体は、前記コメント対象トリガーのレスポンスの客体のうち、前記タッチ入力がなされた時点で他の客体によって覆われていない部分が一部でも存在する客体を含むものであることを特徴とする、請求項９に記載のインタラクティブコンテンツに対するコメント方法。
【請求項１２】
連動サーバーが、インタラクティブコンテンツに対するコメント情報を、前記インタラクティブコンテンツを再生するコンテンツ再生装置から受信し、前記コメント情報はコメント対象トリガーに対する情報、トリガーログ及びコメントのコンテンツデータを含み、前記トリガーログは前記インタラクティブコンテンツの再生開始以降、特定の時点から前記コメント対象トリガーが発生するまで前記インタラクティブコンテンツに対して発生したトリガーの集合である、第１段階と、
前記連動サーバーが、前記トリガーログに含まれたトリガーそれぞれをトリガー発生順序によって連結することでコメントシナリオを生成し、前記コメントシナリオには前記コメント対象トリガーのレスポンスの再生区間に前記コメントのコンテンツデータが表示されるようにするデータが含まれる、第２段階と、
前記連動サーバーが、前記コメントシナリオを、前記インタラクティブコンテンツを生成するための著作ツールが設置されたコンテンツ著作装置に送信する第３段階とを含む、インタラクティブコンテンツに対するコメント方法。
【請求項１３】
前記トリガーログは、
コメント対象トリガー以前に発生した既に指定された個数分のトリガーの集合であることを特徴とする、請求項１２に記載のインタラクティブコンテンツに対するコメント方法。
【請求項１４】
前記第１段階は、
前記コメントの入力のための前記コメントのタッチポイントに対する情報を、前記コンテンツ再生装置からさらに受信する段階を含み、
前記コメントシナリオには、前記コメント対象トリガーのレスポンスの再生区間に前記タッチポイントが表示されるようにするデータがさらに含まれることを特徴とする、請求項１２に記載のインタラクティブコンテンツに対するコメント方法。
【請求項１５】
前記コメントシナリオには前記コメント対象トリガーの識別情報がさらに含まれることを特徴とする、請求項１２に記載のインタラクティブコンテンツに対するコメント方法。
【請求項１６】
プロセッサーと、
インタラクティブコンテンツに対するコメント連動プログラムを保存するストレージと、
前記プロセッサーで遂行されてプログラムを具現する複数のオペレーションを前記ストレージからロードするメモリーと、
前記インタラクティブコンテンツを再生するコンテンツ再生装置、及び前記インタラクティブコンテンツを生成して前記コンテンツ再生装置にエクスポートした著作ツールが設置されたコンテンツ著作装置に連結されたネットワークインターフェースとを含み、
前記複数のオペレーションは、
前記インタラクティブコンテンツに対するコメント情報を前記コンテンツ再生装置から受信し、前記コメント情報はコメント対象トリガーに対する情報、トリガーログ及びコメントのコンテンツデータを含み、前記トリガーログは前記インタラクティブコンテンツの再生開始以降、特定の時点から前記コメント対象トリガーが発生するまで前記インタラクティブコンテンツに対して発生したトリガーの集合である、オペレーションと、
前記トリガーログに含まれたトリガーそれぞれのレスポンスをトリガー発生順序によって連結することでコメントシナリオを生成し、前記コメントシナリオには前記コメント対象トリガーのレスポンスの再生区間に前記コメントのコンテンツデータが表示されるようにするデータが含まれる、オペレーションと、
前記コメントシナリオを前記コンテンツ著作装置に送信するオペレーションとを含む、インタラクティブコンテンツに対するコメント連動サーバー。
【発明の詳細な説明】
【技術分野】
【０００１】
本発明はインタラクティブコンテンツに対するコメント方法及びコメントシナリオ再演方法に関する。より詳しくは、レビュアー（ｒｅｖｉｅｗｅｒ）がインタラクティブコンテンツに対してコメントを容易に付加する方法と、インタラクティブコンテンツの著作者がそのコメントの意図を明確に把握することができるようにコメントシナリオを再演する方法に関する。
【背景技術】
【０００２】
インタラクティブコンテンツは見る人の入力によって別のストーリーラインが展開され得る点で一般のコンテンツと区別される。コンテンツに対してレビュアーがコメントを付加しなければならない状況で、一般のコンテンツはタイムライン上の特定の時点に対してコメントを付加するだけでコメント対象が特定される。一方、インタラクティブコンテンツはタイムライン上の特定の時点を指定してコメントを付加しても、コメント対象が明確に特定され難い問題がある。
【発明の概要】
【発明が解決しようとする課題】
【０００３】
本発明が解決しようとする技術的課題は、選択的なトリガー発生によって多様なストーリーシナリオを有するインタラクティブコンテンツに対して、レビュアーが容易にコメントを付加することができる方法、かかる機能を提供するコンテンツ再生装置及びかかる機能を提供するコンピューターソフトウェアを提供することである。
【０００４】
本発明が解決しようとする他の技術的課題は、インタラクティブコンテンツのレビュアーが付加したコメントの意味を前記インタラクティブコンテンツの著作者などが明確に把握することができるようサポートするコメントシナリオ再演方法、かかる機能を提供するコンテンツ著作装置及びかかる機能を提供するコンピューターソフトウェアを提供することである。
【０００５】
本発明が解決しようとするまた他の技術的課題は、コンテンツ著作装置からコンテンツ再生装置へのインタラクティブコンテンツのエクスポート要請を処理し、前記コンテンツ再生装置からコメント情報を受信して前記コメント情報及び前記インタラクティブコンテンツに対するデータを用いてコメントシナリオを生成する方法及びかかる機能を提供する連動サーバーを提供することである。
【０００６】
本発明の技術的課題は以上で言及した技術的課題に制限されず、言及されなかった他の技術的課題は下記記載から本発明の技術分野における通常の技術者が明確に理解することができる。
【課題を解決するための手段】
【０００７】
上記課題を解決するために、本発明のインタラクティブコンテンツに対するコメント方法及びコメントシナリオ再演方法は以下の手段を採用する。
本発明の第一態様に係るインタラクティブコンテンツに対するコメント方法は、コンテンツ再生装置が、インタラクティブコンテンツに対するコメントの入力のためにタッチ入力される段階と、前記コンテンツ再生装置が、前記インタラクティブコンテンツのトリガーのうち、タッチ入力がなされた時点の直前に発生したコメント対象トリガーに前記コメントをマッチングさせる段階と、前記コンテンツ再生装置が、前記コメント対象トリガーに対する情報、トリガーログ及び前記コメントのコンテンツデータを送信する段階とを含み、前記トリガーログは、前記インタラクティブコンテンツの再生が開始された時から前記コメント対象トリガーが発生するまで前記インタラクティブコンテンツに対して発生したトリガーの集合である。
【０００８】
上記第一態様では、前記インタラクティブコンテンツは、トリガー、前記トリガーに対するレスポンス及び、前記レスポンスの対象である客体で構成されるインタラクションに対する情報を含み、少なくとも一部の状況で複数の前記トリガーが発生可能になるように定義された分岐型シナリオタイプのインタラクティブコンテンツであるとしてもよい。
【０００９】
上記第一態様では、前記インタラクティブコンテンツは、ＧＵＩ基盤のソフトウェアに対するインタラクションプロトタイプであるとしてもよい。
【００１０】
上記第一態様では、前記送信する段階は、前記コメント対象トリガーに対する情報、トリガーログ及び前記コメントのコンテンツデータ及び前記コメントのタッチポイントに対する情報を、連動サーバーに送信する段階を含み、前記連動サーバーは、前記インタラクティブコンテンツを生成した著作ツールが設置されたコンテンツ著作装置と前記コンテンツ再生装置と連結され、前記コンテンツ著作装置から前記インタラクティブコンテンツに対するエクスポート要請に応答して前記インタラクティブコンテンツを前記コンテンツ再生装置に送信するサーバーであるとしてもよい。
【００１１】
上記第一態様では、前記連動サーバーは、前記トリガーログに含まれたトリガーそれぞれのレスポンスをトリガー発生順序によって連結することでコメントシナリオを生成し、前記コメントシナリオには前記コメント対象トリガーのレスポンスの再生区間に前記コメントのコンテンツデータが表示されるようにするデータが含まれるとしてもよい。
【００１２】
上記第一態様では、前記送信する段階は、前記コメント対象トリガーに対する情報、トリガーログ及び前記コメントのコンテンツデータ及び前記コメントのタッチポイントに対する情報を、前記インタラクティブコンテンツを生成した著作ツールが設置されたコンテンツ著作装置に送信する段階を含み、前記コンテンツ著作装置は、前記インタラクティブコンテンツを前記コンテンツ再生装置にエクスポートしたものであるとしてもよい。
【００１３】
上記第一態様では、前記コンテンツ著作装置は、前記トリガーログに含まれたトリガーそれぞれのレスポンスをトリガー発生順序によって連結することでコメントシナリオを生成し、前記コメントシナリオを再演するためのＵＩを含み、前記コメントシナリオの再演によって前記コメント対象トリガーのレスポンスの再生区間に前記コメントのコンテンツデータを表示する端末であるとしてもよい。
【００１４】
上記第一態様では、前記連動サーバーに送信する段階は、前記コメントのタッチポイントを用いてコメント対象客体を決定する段階と、前記コメント対象客体に対する情報を前記連動サーバーに送信する段階とを含むとしてもよい。
【００１５】
上記第一態様では、前記コメント対象客体を決定する段階は、前記コメント対象トリガーと関連した候補客体のうち、前記タッチ入力がなされた時点で前記タッチポイントと最も近接して位置する客体を前記コメント対象客体に決定する段階を含み、前記候補客体は前記コメント対象トリガーのレスポンスの客体を含むものであるとしてもよい。
【００１６】
上記第一態様では、前記候補客体は、前記コメント対象トリガーのレスポンスの客体のうち、前記タッチ入力がなされた時点の透明度を基準に選定された客体を含むものであるとしてもよい。
【００１７】
上記第一態様では、前記候補客体は、前記コメント対象トリガーのレスポンスの客体のうち、前記タッチ入力がなされた時点で他の客体によって覆われていない部分が一部でも存在する客体を含むものであるとしてもよい。
【００１８】
本発明の第二態様に係るインタラクティブコンテンツに対するコメント方法は、連動サーバーが、インタラクティブコンテンツに対するコメント情報を、前記インタラクティブコンテンツを再生するコンテンツ再生装置から受信し、前記コメント情報はコメント対象トリガーに対する情報、トリガーログ及び前記コメントのコンテンツデータを含み、前記トリガーログは前記インタラクティブコンテンツの再生開始以降、特定の時点から前記コメント対象トリガーが発生するまで前記インタラクティブコンテンツに対して発生したトリガーの集合である、第１段階と、前記連動サーバーが、前記トリガーログに含まれたトリガーそれぞれをトリガー発生順序によって連結することでコメントシナリオを生成し、前記コメントシナリオには前記コメント対象トリガーのレスポンスの再生区間に前記コメントのコンテンツデータが表示されるようにするデータが含まれる、第２段階と、前記連動サーバーが、前記コメントシナリオを、前記インタラクティブコンテンツを生成するための著作ツールが設置されたコンテンツ著作装置に送信する第３段階とを含む。
【００１９】
上記第二態様では、前記トリガーログは、前記コメント対象トリガー以前に発生した既に指定された個数分のトリガーの集合であるとしてもよい。
【００２０】
上記第二態様では、前記第１段階は、前記コメントの入力のためのコメントのタッチポイントに対する情報を、前記コンテンツ再生装置からさらに受信する段階を含み、前記コメントシナリオには、前記コメント対象トリガーのレスポンスの再生区間に前記タッチポイントが表示されるようにするデータがさらに含まれるとしてもよい。
【００２１】
上記第二態様では、前記コメントシナリオには前記コメント対象トリガーの識別情報がさらに含まれるとしてもよい。
【００２２】
本発明の第三態様に係るインタラクティブコンテンツに対するコメント連動サーバーは、プロセッサーと、インタラクティブコンテンツに対するコメント連動プログラムを保存するストレージと、前記プロセッサーで遂行されて前記プログラムを具現する複数のオペレーションを前記ストレージからロードするメモリーと、前記インタラクティブコンテンツを再生するコンテンツ再生装置、及び前記インタラクティブコンテンツを生成して前記コンテンツ再生装置にエクスポートした著作ツールが設置されたコンテンツ著作装置に連結されたネットワークインターフェースとを含み、前記複数のオペレーションは、前記インタラクティブコンテンツに対するコメント情報を前記コンテンツ再生装置から受信し、前記コメント情報はコメント対象トリガーに対する情報、トリガーログ及び前記コメントのコンテンツデータを含み、前記トリガーログは前記インタラクティブコンテンツの再生開始以降、特定の時点から前記コメント対象トリガーが発生するまで前記インタラクティブコンテンツに対して発生したトリガーの集合である、オペレーションと、前記トリガーログに含まれたトリガーそれぞれのレスポンスをトリガー発生順序によって連結することでコメントシナリオを生成し、前記コメントシナリオには前記コメント対象トリガーのレスポンスの再生区間に前記コメントのコンテンツデータが表示されるようにするデータが含まれる、オペレーションと、前記コメントシナリオを前記コンテンツ著作装置に送信するオペレーションとを含む。
【図面の簡単な説明】
【００２３】
【図１】本発明のいくつかの実施例で参照される、１つ以上のインタラクションで構成されたインタラクティブコンテンツの概念図である。
【図２】図１で示されたインタラクティブコンテンツに対して分岐型シナリオが構成され、特定のレスポンスが再生されている途中にコメントが入力されることを説明するための図である。
【図３】本発明のいくつかの実施例で提供されるインタラクティブコンテンツ再生及びコメント入力ユーザーインターフェースであって、図２を通じて説明されたコメント入力過程を示す図である。
【図４】本発明のいくつかの実施例によって構成されるコメントシナリオを説明するための図であって、図２及び図３を通じて説明されたコメントの入力時、それによってコメントシナリオが構成された結果を例示的に示す。
【図５ａ】本発明のいくつかの実施例によって構成されるコンテンツ著作装置のコメント確認ユーザーインターフェースの例示図であって、図４を通じて説明されたコメントシナリオが再演されることを示す図である。
【図５ｂ】コメント確認ユーザーインターフェースとインタラクティブコンテンツ著作ツールが連動して動作する場合、前記インタラクティブコンテンツ著作ツールで見える画面の例示である。
【図５ｃ】コメント確認ユーザーインターフェースとインタラクティブコンテンツ著作ツールが連動して動作する場合、前記インタラクティブコンテンツ著作ツールで見える画面の例示である。
【図６ａ】本発明の一実施例によるインタラクティブコンテンツコメントシステムの構成図である。
【図６ｂ】本発明の他の実施例によるインタラクティブコンテンツコメントシステムの構成図である。
【図６ｃ】本発明の他の実施例によるインタラクティブコンテンツコメントシステムの構成図である。
【図７】本発明のまた他の実施例によるインタラクティブコンテンツに対するコメント方法の第１フローチャートである。
【図８】本発明のまた他の実施例によるインタラクティブコンテンツに対するコメント方法の第２フローチャートである。
【図９】本発明のまた他の実施例によるインタラクティブコンテンツに対するコメント方法の第３フローチャートである。
【図１０】本発明のまた他の実施例によるインタラクティブコンテンツに対するコメント連動サーバーの構成図である。
【発明を実施するための形態】
【００２４】
以下、添付図面を参照して本発明の好適な実施例を詳しく説明する。本発明の利点及び特徴、そしてそれらを達成する方法は、添付図面と共に詳細に後述されている実施例を参照することで明確になる。しかし、本発明は以下で掲示される実施例に限定されるものではなく、互いに異なる多様な形態で具現されることができ、単に本実施例は本発明の掲示を完全にし、本発明が属する技術分野で通常の知識を有する者に発明の範疇を完全に認識させるために提供されるものであり、本発明は請求項の範疇によって定義されるに過ぎない。明細書全体にかけて同一の参照符号は同一の構成要素を指称する。
【００２５】
他の定義がなければ、本明細書で使用されるすべての用語（技術及び科学的用語を含む）は本発明が属する技術分野で通常の知識を有する者に共通して理解される意味で使用され得る。また、一般的に使用される辞書に定義されている用語は明白に特別に定義されていない限り理想的かつ過度に解釈されない。本明細書で使用された用語は実施例を説明するためのものであって、本発明を制限しようとするものではない。本明細書で、単数型は文言で特別に言及しない限り複数型も含む。
【００２６】
以下、図面を参照して本発明のいくつかの実施例について説明する。
まず、本明細書で使用される‘インタラクティブコンテンツ’の意味について、図１を参照して説明する。インタラクティブコンテンツは見る人の入力によって別のストーリーラインが展開され得る点で一般のコンテンツと区別される。一般のコンテンツは見る人とのインタラクションがなく、無条件に１つのリニアしたストーリーラインだけが展開されるが、インタラクティブコンテンツは見る人のユーザー入力または再生時点の周辺状況または周辺環境によって発生するトリガーによってストーリー分岐がなされるので、多様なストーリーラインが制作され得る。
【００２７】
本明細書のインタラクティブコンテンツは１以上のインタラクション（ｉｎｔｅｒａｃｔｉｏｎ）を含むコンテンツである。インタラクティブコンテンツはインタラクションのデータ以外に多様なメタデータも含まれ得る。したがって、インタラクションのデータ以外に他のデータを含んで構成されるコンテンツであっても本明細書のインタラクティブコンテンツの範囲から逸脱するものではない。
【００２８】
前記インタラクションは、インタラクティブコンテンツに対して何らかの入力がなされる場合、前記インタラクティブコンテンツに含まれた客体がどのような反応を見せるのか定義するデータである。本明細書でインタラクティブコンテンツに対する入力はトリガー（ｔｒｉｇｇｅｒ）と指称される。前記トリガーは、例えば、前記インタラクティブコンテンツが再生されている装置に備えられたタッチスクリーンに対するタッチ入力や、前記インタラクティブコンテンツが再生されている装置に備えられたセンサー（例えば、カメラ、マイク、照度センサー、加速度センサー、ジャイロスコープ、近接センサー、地磁気センサーなど）を通じてセンシングされた測定データを基準に生成されたトリガーイベントや、前記インタラクティブコンテンツが再生されている装置の測位装置によって測定された測位データを基準に生成されたトリガーイベントや、前記インタラクティブコンテンツが再生されている装置に有線／無線で連結された外部装置から特定のデータが受信されたことを示すトリガーイベントであり得る。
【００２９】
前記トリガーは、特定の客体または特定の客体セットに対して発生することを前提にして識別され得る。前記特定の客体セットは１つのレイヤーを構成する隣接する客体の集合であり得る。例えば、トリガー＃１は客体＃１のタップ（タッチ）を示すことができ、トリガー＃２は客体＃２のタップを示すことができる。
【００３０】
本明細書で前記トリガーの発生に対するインタラクティブコンテンツの反応はレスポンス（ｒｅｓｐｏｎｓｅ）と指称される。前記レスポンスは１以上の客体に対して再生される。前記客体をレスポンス対象客体と指称する。前記客体は前記インタラクティブコンテンツを構成する視覚的な（ｖｉｓｕａｌ）構成要素である。
【００３１】
前記インタラクティブコンテンツは１以上の客体がマルチ−レイヤー方式でオーバーレイされてディスプレーされる画面を含む。前記マルチ−レイヤーのためにそれぞれの客体には優先順位が付与され得る。すなわち、表示領域が重なる場合、優先順位の高い客体が優先順位の低い客体を覆うようになる。
【００３２】
図１には総８個のインタラクション（インタラクション＃１〜＃８）で構成されたインタラクティブコンテンツが示されている。図１にはトリガーが‘Ｔ’、レスポンスが‘Ｒ’、客体が’Ｏ’で表記されている。インタラクション＃１はＴ＃１トリガーが発生する場合、客体Ｏ＃１に対してＲ＃１のレスポンスが再生されることを示す。インタラクション＃２はＴ＃２トリガーが発生する場合、客体Ｏ＃１に対してＲ＃２、Ｒ＃３のレスポンスが再生されることを示す。また、インタラクション＃６はＴ＃６トリガーが発生する場合、客体Ｏ＃５に対してＲ＃１、客体Ｏ＃４に対してＲ＃５のレスポンスがそれぞれ再生されることを示す。
【００３３】
図２を参照すると、図１で例示されたインタラクティブコンテンツに対して分岐型シナリオが構成され、特定のレスポンスが再生されている途中にコメントが入力されることが示される。図２に示されたように、本明細書のインタラクティブコンテンツは少なくとも一部の状況で複数の前記トリガーが発生可能になるように定義された分岐型シナリオタイプのコンテンツである。前記‘状況’はトリガーの発生が可能な時点を意味する。前記状況はレスポンスの再生が完了した以降の時点を意味する場合がある。または、レスポンスの再生途中でもトリガーの発生が可能になる場合もある。
【００３４】
図２に示されたインタラクティブコンテンツは、インタラクション＃１以降にインタラクション＃２、インタラクション＃３またはインタラクション＃４のうち１以上が発生し得、インタラクション＃２以降にインタラクション＃５またはインタラクション＃６のうち１つ以上が発生し得、インタラクション＃６以降にインタラクション＃７またはインタラクション＃８のうち１つ以上が発生するように定義されたものなので、分岐型シナリオタイプのコンテンツである。
【００３５】
本明細書のインタラクティブコンテンツは、例えばＧＵＩ（Ｇｒａｐｈｉｃ  Ｕｓｅｒ  Ｉｎｔｅｒｆａｃｅ）基盤のソフトウェアに対するインタラクションプロトタイプ（ｐｒｏｔｏｔｙｐｅ）であり得る。
【００３６】
以下、インタラクション＃１以降、トリガー＃２（Ｔ＃２）が発生してインタラクション＃２が再生され、次にトリガー＃６（Ｔ＃６）が発生してインタラクション＃６が再生され、次にトリガー＃８が発生してインタラクション＃８が再生される途中にレビュアー（ｒｅｖｉｅｗｅｒ）がコメントを入力する場合、本発明のいくつかの実施例によるコメント処理方法及びそのコメントの再演方法について説明する。インタラクション＃８はトリガー＃８が発生する場合、レスポンス＃５及びレスポンス＃６が発生するものであり、レスポンス＃５の対象客体は客体＃２、客体＃５及び客体＃６で、レスポンス＃６の対象客体は客体＃３であると仮定する。
【００３７】
分岐型シナリオタイプのインタラクティブコンテンツに対してコメントが入力される場合、その対象が何であるか確定することが非常に重要である。本発明のいくつかの実施例で、インタラクティブコンテンツに対するコメントの入力のためのタッチ入力がなされた時点の直前に発生したコメント対象トリガーに前記コメントをマッチングさせる。
【００３８】
その結果、前記インタラクティブコンテンツの再生が開始されてから前記コメント対象トリガーが発生するまでの一連のトリガーを連結したコメントシナリオを構成し、前記コメントシナリオに含まれた各トリガーのレスポンスを順次再生することができる。したがって、レビュアーがコメントを記載した対象シナリオを正確に再演することができる。
また、本発明のいくつかの実施例で、またコメント入力時点及びその時点のタッチポイントを用いてレビュアーの別途指摘がなくてもコメント対象レスポンス及びその対象客体までも予測してコメントを確認するユーザーに表示することができる。
【００３９】
図３には例示的にコンテンツ再生装置２０に表示されるコメント入力ユーザーインターフェースが示される。図３の画面はインタラクション＃８が再生中であることを示す。既に説明したように、インタラクション＃８はトリガー＃８（例えば、画面に対するタッチ）が発生する場合、レスポンス＃５（例えば、下に移動する動作）及びレスポンス＃６（例えば、回転しながら下に移動する動作）が発生する。また、レスポンス＃５の対象客体は客体＃２（１）、客体＃５（９）及び客体＃６（８）である。また、レスポンス＃６の対象客体は客体＃３（５）である。
【００４０】
コンテンツ再生装置２０はインタラクティブコンテンツの解釈及び再生機能を有するソフトウェアが設置されたコンピューティング装置であって、例えばスマートフォン、スマートウォッチのような移動端末であり得る。
【００４１】
インタラクティブコンテンツに対するコメントを作成してインタラクティブコンテンツの著作者に修正を要請しようとするレビュアーは、インタラクティブコンテンツに対するトリガー入力を通じて前記インタラクティブコンテンツを操作する途中にコメントボタン４を押すことで、コメント入力時点を指定することができる。コメントボタン４が押されると、すべてのレスポンスが一時停止しながらコメント対象タッチポイントの指摘が容易になる。レビュアーはすべてのレスポンスが一時停止して画面上のすべての客体が停止している状態で、コメント対象地点をタッチすればよい。画面上の特定の地点がタッチされると、その地点を基準にコメントを入力するためのＵＩ３が表示され得る。
【００４２】
コンテンツ再生装置２０はコメントを入力するためのＵＩ３を通じてコメントが入力されると、コメント情報を構成する。前記コメント情報はコメント対象トリガーに対する情報、トリガーログ及び前記コメントのコンテンツデータを含む。前記コメント対象トリガーは、コメントボタン４が押される前に発生した最近のトリガーである。
【００４３】
前記トリガーログは前記インタラクティブコンテンツの再生開始以降、特定の時点から前記コメント対象トリガーが発生するまで前記インタラクティブコンテンツに対して発生したトリガーの集合である。前記トリガーログを構成するために、コンテンツ再生装置２０は前記インタラクティブコンテンツの再生が開始される時からトリガー発生をトラッキング（ｔｒａｃｋｉｎｇ）することができる。
【００４４】
一実施例で、前記トリガーログは前記インタラクティブコンテンツの再生開始後、最初に発生したトリガーから前記コメント対象トリガーまですべてのトリガーが含まれ得る。この場合、コメントが入力されるまでの状況を最も正確に再演することができる効果がある。
【００４５】
他の実施例で、前記トリガーログは前記インタラクティブコンテンツの再生開始後、最初に発生したトリガーから前記コメント対象トリガーまですべてのトリガーを含まず、前記インタラクティブコンテンツの再生開始以降、特定の時点から前記コメント対象トリガーが発生するまで前記インタラクティブコンテンツに対して発生したトリガーの集合の場合もあり得る。例えば、前記トリガーログは、前記コメント対象トリガー以前に発生した既に指定された個数（例えば５個）分のトリガーの集合の場合もあり得る。インタラクティブコンテンツを長時間操作してコメントを入力する場合、前記インタラクティブコンテンツの再生時点から前記コメント対象トリガー発生までのすべてのトリガーを再演することはデータサイズの側面や、コメントを確認するために要される時間の側面で非効率を引き起こす可能性がある。前記コメント対象トリガーが発生する以前の状況を適切な水準としてだけ把握することができれば、レビュアーの意図を把握するには充分である。したがって、本実施例は前記コメント情報のデータサイズを縮小させてコメント処理に関連して迅速な処理速度に役立つことができる。
【００４６】
コメント対象トリガーが決定される基準は既に説明した。追加で、コメント対象レスポンス及びコメント対象客体に対する情報もコメントを確認するユーザーに提供されることがコメント内容の正確な伝達のために好ましい。
一実施例で、コメント対象レスポンスは前記コメント対象トリガーのすべてのレスポンスであり得る。
【００４７】
再生中ではないレスポンスに対してコメントが入力される可能性が高くないので、他の実施例でコメント対象レスポンスは前記コメント対象トリガーのすべてのレスポンスのうち、コメントボタン４を押す時点で再生中のレスポンスに限定される場合もある。
【００４８】
また、コメント対象客体はコメントのタッチポイント２を用いて決定することができる。例えば、コメント対象トリガーと関連した候補客体のうち、コメント入力のためのタッチ入力がなされた時点で前記タッチポイントと最も近接して位置する客体が前記コメント対象客体に決定され得る。前記候補客体は前記コメント対象トリガーのすべてのレスポンスの客体を含む。また、既に説明したように、前記候補客体は前記コメント対象トリガーのすべてのレスポンスのうち、コメントボタン４を押す時点で再生中のレスポンスの場合もある。
【００４９】
一実施例で、前記候補客体は前記コメント対象トリガーのレスポンスの客体のうち、前記タッチ入力がなされた時点の透明度を基準に選定された客体が含まれ得る。例えば、図３に示された総４個の客体１、５、８、９のうち客体Ｏ＃６（８）は現在完全に透明な状態で属性値が設定されている状態である。現在見えない客体を対象にコメントが入力される可能性は高くないので、前記候補客体で前記タッチ入力がなされた時点で透明な客体は前記候補客体から取り除くことが好ましい。
【００５０】
一実施例で、前記候補客体は前記コメント対象トリガーのレスポンスの客体のうち、コメント入力のためのタッチ入力がなされた時点で他の客体によって覆われていない部分が一部でも存在する客体が含まれ得る。例えば、図３に示された客体Ｏ＃５（９）は優先順位が客体Ｏ＃２（１）よりも低く、コメント入力のためのタッチ入力がなされた時点（図３に示された状況ではコメントボタン４が押された時点）ですべての領域が客体Ｏ＃２（１）によって覆われている状況である。したがって、客体Ｏ＃５（９）は前記候補客体から取り除くことが好ましい。
【００５１】
総合すると、図３に示された状況の場合、コメント対象レスポンスはコメントボタン４が押された時に再生されていたレスポンス＃５とレスポンス＃６に一旦決定される。したがって、コメント対象客体はレスポンス＃５の客体であるＯ＃２（１）、Ｏ＃５（９）及びＯ＃６（８）と、レスポンス＃６の客体であるＯ＃３（５）の中から決定される。ところが、透明な客体であるＯ＃６（８）と異なる客体によってすべて覆われている状態であるＯ＃５（９）は前記コメント対象客体から取り除かれる。その場合、残った客体であるＯ＃２（１）とＯ＃３（５）のうち、コメントのタッチポイント２と最も近くに位置するＯ＃２（１）がコメント対象客体に指定される。そして、再びコメント対象レスポンスはコメント対象客体のレスポンスであるレスポンス＃５に再び調整される。
【００５２】
これまで説明したコメント対象レスポンス及びコメント対象客体のタッチポイント基盤決定動作は、コンテンツ再生装置によって遂行されるか、前記タッチポイントに対する情報を前記コンテンツ再生装置から受信した連動サーバーによって遂行されるか、前記タッチポイントに対する情報及び前記コメントシナリオが提供されたコンテンツ著作装置によって遂行され得る。
【００５３】
一実施例で、コメントボタン４の代わりに、コメント入力のために事前に定義されたタッチ入力がコメント入力のために使用される場合もある。この時、前記事前に定義されたタッチ入力は、例えばダブルタッチ（短時間内に同一タッチポイントに二度タッチすること）などであり得る。この場合、前記事前に定義されたタッチ入力はコメント対象タッチポイントに入力されなければならない。前記事前に定義されたタッチ入力が感知された場合、前記コメント対象タッチポイントを基準にしてコメント入力のためのＵＩ３がディスプレーされ得る。本実施例によれば、一回のタッチ入力だけで直ちにコメントコンテンツを入力することができる効果がある。
【００５４】
図４は本発明のいくつかの実施例によって構成されるコメントシナリオを説明するための図であって、図２及び図３を通じて説明されたコメント入力時、それによってコメントシナリオが構成された結果を例示的に示す。
【００５５】
一実施例で、前記コメントシナリオは、インタラクティブコンテンツに対して発生したインタラクション＃１、インタラクション＃２、インタラクション＃６及びインタラクション＃８が順次連結されたものであり得る。
【００５６】
一実施例で、前記コメントシナリオは、インタラクティブコンテンツの再生開始以降、特定の時点から前記コメント対象トリガーが発生するまで前記インタラクティブコンテンツに対して発生したトリガーが順次連結された場合もある。ただし、前記コメントシナリオには前記コメント対象トリガーのレスポンスの再生区間に前記コメントのコンテンツデータが表示されるようにするデータが含まれることが好ましい。
【００５７】
一実施例で、前記コメントシナリオは、インタラクティブコンテンツの再生開始以降、特定の時点から前記コメント対象トリガーが発生するまで前記インタラクティブコンテンツに対して発生したトリガーのレスポンスが順次連結された場合もあり得る。前記コメントシナリオには前記コメント対象トリガーのレスポンスの再生区間に前記コメントのコンテンツデータが表示されるようにするデータが含まれることが好ましい。ただし、前記コメントシナリオを生成する時、レスポンスの再生タイムライン上、特定のトリガーの場合、複数のレスポンス間に一部重複して再生される場合には、その重複再生を維持することが好ましい。
【００５８】
図５ａは本発明のいくつかの実施例によって構成されるコンテンツ著作装置のコメント確認ユーザーインターフェース１００の例示図であって、図４を通じて説明されたコメントシナリオが再演されることを例示した図である。図５ａに示されるように、コメント確認ユーザーインターフェース１００は再演パネル１３０、トリガー／レスポンス表示パネル１１０、客体表示パネル１２０、スライダーバー領域１４０及び現在再演中のタイムラインのレスポンス及びそのレスポンスの原因となったトリガーがアップデートされるトリガー／レスポンスストリーミング領域１５０が含まれ得る。
【００５９】
レビュアーによって作成されたコメントを確認しようとするユーザー（例えば、インタラクティブコンテンツのデザイナー）はコメント確認ユーザーインターフェース１００を通じてコメント状況を再演することができる。前記再演はタイムラインを表示するスライダーボタン７を通じてコメントシナリオのタイムラインを自由に移動しながらなされ得る。前記再演中、コメント入力時点になると、コメントの内容３が表示され、コメントのタッチポイント２も表示され得る。前記再演中、コメント確認ユーザーの理解の便宜を図るため、現在再生中の時点のトリガー及びそのレスポンスがトリガー／レスポンス表示パネル１１０にアップデートされ、現在再生中の時点で再演パネル１３０に登場する客体が客体表示パネル１２０にアップデートされる。
【００６０】
一実施例で、コメント入力時点以前の状況だけでなく、以降の状況も表示され得る。このため、コメント情報にはコメント対象トリガー以降の既に指定された個数のトリガー及びそのレスポンスに対する情報もさらに含まれ得る。
【００６１】
一実施例で、前記コメント確認ユーザーインターフェースを通じて前記コメントシナリオが開かれる場合、デフォルトでコメント入力時点７ａが現在タイムラインとしてセッティングされ得る。コメントを確認するユーザーは、コメント入力時点だけを見てもコメントの内容を明確に把握することができれば、コメント確認に要される時間を節約することができる。
【００６２】
一実施例で、前記コメントシナリオには、コメント対象トリガーの識別情報だけではなく、コメント対象レスポンスの識別情報及びコメント対象客体の識別情報のうち少なくとも１つがさらに含まれ得る。この場合、コメント確認ユーザーの理解の便宜を図るため、図５ａに示されたように、前記コメント確認ユーザーインターフェースにコメント対象レスポンス及びコメント対象客体であることを示す表示６がディスプレーされ得る。
【００６３】
一実施例で、コメント対象インタラクティブコンテンツの著作ツール２００とコメント確認ユーザーインターフェース１００が連動され得る。図５ｂ及び図５ｃは図５ａのコメント確認ユーザーインターフェース１００とインタラクティブコンテンツの著作ツール２００が連動して動作する場合、前記インタラクティブコンテンツ著作ツールで見える画面の例示である。コメント対象インタラクティブコンテンツの著作ツール２００とコメント確認ユーザーインターフェース１００が連動される場合、コメント確認ユーザーインターフェース１００で現在再生中のタイムラインの再演画面１３０に表示される客体、トリガー及びオブジェクトに対するインジケーター２１０がコメント対象インタラクティブコンテンツの著作ツール２００に表示され得る。また、再生によって再演画面１３０に表示される客体、トリガー及びオブジェクトがアップデートされると、インジケーター２１０、表示２２０もともにアップデートされた客体、トリガー及びオブジェクトを示すようにリフレッシュされる。例えば、図５ｂは第１再生時点のインジケーター２１０を表示し、図５ｃは第１再生時点以降の再生時点であると同時に、コメント入力時点である第２再生時点のインジケーター２１０及びコメント対象であることを示す表示２２０を示す。
【００６４】
一実施例で、コメント対象インタラクティブコンテンツの著作ツール２００内部にコメント確認ユーザーインターフェース１００が具現される場合もある。この場合にも、コメント対象インタラクティブコンテンツの著作ツール２００とコメント確認ユーザーインターフェース１００が連動される場合と同一の動作が遂行される。
以下、本発明の一実施例によるインタラクティブコンテンツコメントシステムの構成及び動作を説明する。
【００６５】
図６ａに示されるように、前記インタラクティブコンテンツコメントシステムは、連動サーバー３０、コンテンツ著作装置１０及びコンテンツ再生装置２０が含まれ得る。
【００６６】
コンテンツ再生装置２０は、インタラクティブコンテンツに対するコメントの入力をするためにタッチ入力され、前記インタラクティブコンテンツのトリガーのうち、タッチ入力がなされた時点の直前に発生したコメント対象トリガーに前記コメントをマッチングさせ、前記コメント対象トリガーに対する情報、トリガーログ及び前記コメントのコンテンツデータを含むコメント情報を連動サーバー３０に送信する。この時、前記トリガーログは、前記インタラクティブコンテンツの再生が開始された時から前記コメント対象トリガーが発生するまで前記インタラクティブコンテンツに対して発生したトリガーの集合である。
【００６７】
連動サーバー３０は、コンテンツ再生装置２０から受信した前記コメント情報をコンテンツ再生装置２０から受信し、前記コメント情報に含まれた前記トリガーログに含まれたトリガーそれぞれをトリガー発生順序によって連結することでコメントシナリオを生成する。この時、前記コメントシナリオには前記コメント対象トリガーのレスポンスの再生区間に前記コメントのコンテンツデータが表示されるようにするデータが含まれる。連動サーバー３０は、前記コメントシナリオを、前記インタラクティブコンテンツを生成するための著作ツールが設置されたコンテンツ著作装置１０に送信する。
【００６８】
コンテンツ著作装置１０には、前記インタラクティブコンテンツを生成するための著作ツールが設置されている。コンテンツ著作装置１０は、インタラクティブコンテンツを連動サーバー３０を通じてコンテンツ再生装置２０にエクスポート（ｅｘｐｏｒｔ）し、それに対するフィードバックとして前記コメントシナリオを連動サーバー３０から受信することができる。コンテンツ著作装置１０は、図５を参照して説明したように、前記コメントシナリオを再生することができる。
【００６９】
本発明の他の実施例によるインタラクティブコンテンツコメントシステムは連動サーバー３０を経ず、コンテンツ著作装置１０とコンテンツ再生装置２０が直接連結されてもよい。この時、コンテンツ著作装置１０とコンテンツ再生装置２０はブルートゥース（登録商標）（Ｂｌｕｅｔｏｏｔｈ（登録商標））、Ｗｉ−Ｆｉなどの近距離通信網（Ｓｈｏｒｔ  Ｒａｎｇｅ  Ｃｏｍｍｕｎｉｃａｔｉｏｎ）を通じて連結され得る。一実施例で、図６ｂに示されたように、コメントシナリオの生成がコンテンツ著作装置１０で遂行され得る。
【００７０】
他の実施例で、図６ｃに示されたように、コメントシナリオの生成がコンテンツ再生装置２０で遂行される場合もある。本実施例は、コンテンツ再生装置２０がコメントシナリオのエクスポート（ｅｘｐｏｒｔ）機能を支援するものと理解され得る。エクスポート以降のコメントシナリオファイルには、コメントコンテンツ、コメントタッチポイント、コメント対象トリガーの識別情報、コメント対象レスポンスの識別情報、コメント対象客体の識別情報及びコメント入力以前の状況を把握するための前記コメント対象トリガー以前の一連のトリガーの識別情報が含まれ得る。一実施例で、エクスポート以降のコメントシナリオファイルは、コメント対象インタラクティブコンテンツに加えられた（ａｄｄ−ｏｎ）形態で構成される場合もある。エクスポート以降のコメントシナリオファイルは、電子メールなど多様な方式を通じて前記インタラクティブコンテンツの著作者に伝達され得る。
【００７１】
以下、本発明のいくつかの実施例による、インタラクティブコンテンツに対するコメント方法を図７乃至図８を参照して説明する。本実施例によるコメント方法はコンピューティング装置によって遂行され得る。例えば、図７のフローチャートはインタラクティブコンテンツを再生するコンテンツ再生端末によって遂行され、図８のフローチャートは前記コンテンツ再生端末と、コンテンツ著作端末を中継する役目を遂行する連動サーバーによって遂行され得、図９のフローチャートは前記コンテンツ著作端末によって遂行され得る。ただし、本発明はコメントが入力される装置とコメントを再演する装置が必ず分離される状況を前提にしない。すなわち、一実施例で、コメントが入力される装置とコメントを再演する装置が同一の装置の場合もある。すなわち、図７ないし図９のフローチャートに示された動作はすべて同一のコンピューティング装置で遂行される場合がある。例えば、前記インタラクティブコンテンツがＧＵＩプロトタイプであれば、プロトタイプデザイナーはプロトタイプデザイン草案が完成後、その草案をエクスポートして同一の装置でテストをしてみた後、テスト過程でコメントを残し、追ってコメントの再演も同一の装置で遂行しながら、プロトタイプの完成度を高めることができる。
【００７２】
また、既に説明したように、コンテンツ再生装置とコンテンツ著作装置が直接連結される場合もある。この場合には図７のフローチャートに示された動作はコンテンツ再生装置が遂行し、図８及び図９に示された動作はコンテンツ著作装置が遂行することができる。また、図７及び図８のフローチャートに示された動作はコンテンツ再生装置が遂行し、図９に示された動作はコンテンツ著作装置が遂行することもできる。
【００７３】
図７を参照し、本発明のいくつかの実施例による、インタラクティブコンテンツに対するコメント方法を説明する。重複説明による理解の混線を防止するため、既に説明された関連動作に対する詳しい説明は省略する。
【００７４】
インタラクティブコンテンツの再生（または操作）が開始された後（Ｓ１００）、前記インタラクティブコンテンツで発生したトリガーのトラッキングが開始される（Ｓ１０１）。トリガーのトラッキングは、発生したトリガーを記録するということを意味する。コメント入力ボタンのタッチまたはコメント入力のための入力と定義されたタッチ入力によってコメントの入力が活性化すると（Ｓ１０２）、前記インタラクティブコンテンツの再生が一時的に停止する（Ｓ１０４）。コメント入力ボタンのタッチによってコメント入力が活性化しただけで、まだコメントタッチポイントが指定されなければ、前記タッチポイントに対してタッチ入力される（Ｓ１０６）。そして、コメントコンテンツが入力される（Ｓ１０８）。前記コメントコンテンツはテキストまたはボイス（ｖｏｉｃｅ）であり得る。
【００７５】
前記コメントコンテンツに対する入力が完了すると、これまで発生してトラッキングされたトリガー情報で最後に発生したトリガーを確認し、最後に発生したトリガーをコメント対象トリガーに決定する（Ｓ１１２）。次にコメント情報をパッケージング（構成）する（Ｓ１１６）。前記コメント情報はコメントコンテンツ、コメントタッチポイント、コメント対象トリガーの識別情報、コメント対象レスポンスの識別情報、コメント対象客体の識別情報及びトリガーログが含まれ得る。前記トリガーログは、コメント入力以前の状況を把握するための前記コメント対象トリガー以前の一連のトリガーの識別情報が含まれ得る。例えば、前記トリガーログは前記インタラクティブコンテンツの再生が開始された時から前記コメント対象トリガーまで発生した一連のすべてのトリガーを含むこともでき、前記コメント対象トリガーから既に指定された個数分の以前トリガーで構成される場合もある。
【００７６】
コメントは数回入力される可能性があるので、コメントが完了したことを示すユーザー入力がなければ（Ｓ１１８）、インタラクティブコンテンツの再生を再開する（Ｓ１２０）。そして、コメントが完了したことを示すユーザー入力があれば、入力されたコメントのコメント情報を送信する（Ｓ１２４）。既に説明したように、前記コメント情報はコメントシナリオを生成する装置に送信される。例えば、前記コメント情報は連動サーバーや、コンテンツ著作装置に送信され得る。
【００７７】
図８には、コメント情報を受信し（Ｓ２００）、前記コメント情報に含まれたトリガーログの一連のトリガーを時間順に連結してコメントシナリオを生成し（Ｓ２０２）、前記コメントシナリオをコンテンツ著作装置に送信する動作が示されている。また、図９には、前記コメントシナリオを受信し（Ｓ３００）、前記コメントシナリオとコメント対象インタラクティブコンテンツのデータを用いてコメントの入力状況を再演し（Ｓ３０２）、前記コメントシナリオのタイムラインが前記コメントの入力時点でマッチするとコメントコンテンツ及びその付加情報を表示（Ｓ３０４）する動作が示されている。図９の動作結果は図５に示されている。
【００７８】
これまで説明された本発明の実施例による方法は、コンピューターが読み込むことができるコードで具現化されたコンピュータープログラムの実行によって遂行され得る。前記コンピュータープログラムはインターネットなどのネットワークを通じて第１コンピューティング装置から第２コンピューティング装置に転送されて前記第２コンピューティング装置に設置され得、これによって前記第２コンピューティング装置で使用され得る。前記第１コンピューティング装置及び前記第２コンピューティング装置は、サーバー装置、クラウドサービスのためのサーバープールに属した物理サーバー、デスクトップＰＣのような固定式コンピューティング装置をすべて含む。
【００７９】
前記コンピュータープログラムはＤＶＤ−ＲＯＭ、フラッシュメモリー装置などの記録媒体に保存される場合もある。
【００８０】
以下、図１０を参照し、本発明のまた他の実施例によるインタラクティブコンテンツに対するコメント連動サーバーの構成及び動作を説明する。
図１０に示されたように、本実施例によるインタラクティブコンテンツに対する連動サーバー３０は、プロセッサー３１、インタラクティブコンテンツに対するコメント連動プログラムを保存するストレージ３４、プロセッサー３１で遂行されて前記プログラムを具現化する複数のオペレーションを前記ストレージからロードするメモリー３２、前記インタラクティブコンテンツを再生するコンテンツ再生装置２０及び前記インタラクティブコンテンツを生成して前記コンテンツ再生装置にエクスポートした著作ツールが設置されたコンテンツ著作装置１０に連結されたネットワークインターフェース３５、及びプロセッサー３１、メモリー３２、ストレージ３４及びネットワークインターフェース３５と連結されてデータ送受信を中継するシステムバス３３を含む。
【００８１】
前記複数のオペレーションは、前記インタラクティブコンテンツに対するコメント情報を前記コンテンツ再生装置から受信し、前記コメント情報はコメント対象トリガーに対する情報、トリガーログ及び前記コメントのコンテンツデータを含み、前記トリガーログは前記インタラクティブコンテンツの再生開始以降、特定の時点から前記コメント対象トリガーが発生するまで前記インタラクティブコンテンツに対して発生したトリガーの集合であるオペレーションが含まれ得る。
【００８２】
前記複数のオペレーションは、前記トリガーログに含まれたトリガーそれぞれのレスポンスをトリガー発生順序によって連結することでコメントシナリオを生成し、前記コメントシナリオには前記コメント対象トリガーのレスポンスの再生区間に前記コメントのコンテンツデータが表示されるようにするデータが含まれるオペレーションがさらに含まれ得る。
【００８３】
前記複数のオペレーションは、前記コメントシナリオを前記コンテンツ著作装置に送信するオペレーションがさらに含まれ得る。
【００８４】
以上、添付図面を参照して本発明の実施例を説明したが、本発明が属する技術分野で通常の知識を有する者は本発明がその技術的思想や必須な特徴を変更せずに他の具体的な形態で実施され得ることを理解することができる。そのため、以上で記述した実施例はすべての面で例示的なものであり、限定的なものではないことを理解しなければならない。
【図１】
2018109941.tif 000003
【図２】
2018109941.tif 000004
【図３】
2018109941.tif 000005
【図４】
2018109941.tif 000006
【図５ａ】
2018109941.tif 000007
【図５ｂ】
2018109941.tif 000008
【図５ｃ】
2018109941.tif 000009
【図６ａ】
2018109941.tif 000010
【図６ｂ】
2018109941.tif 000011
【図６ｃ】
2018109941.tif 000012
【図７】
2018109941.tif 000013
【図８】
2018109941.tif 000014
【図９】
2018109941.tif 000015
【図１０】
2018109941.tif 000016